(57)【要約】【課題】簡素な構成で、国際規格ＩＳＯ８０３６９−３を準拠しつつ、良好な開封性を維持可能なスパウトおよびカバー付きスパウトを提供すること。【解決手段】容器に装着される容器用取付部２１と、容器用取付部２１から上方側に向けて突出して形成され注出流路２１ａを有したスパウト筒状部２２と、スパウト筒状部２２の内周に配置され注出流路２１ａを塞ぐ封止体２３と、スパウト筒状部２２の内周面および封止体２３を連結する弱化部２６とを備え、封止体２３を除去した後にオスコネクタ４０に接続されるスパウト２０であって、スパウト筒状部２２は、先端よりも下方側において弱化部２６が連結される連結領域２２ｃと、連結領域２２ｃの下方側に設定された下方側筒状領域２２ｄとを有しているスパウト２０。【選択図】図１
2020033084.tif 000002
【特許請求の範囲】
【請求項１】
容器に装着される容器用取付部と、前記容器用取付部から上方側に向けて突出して形成され注出流路を有したスパウト筒状部と、前記スパウト筒状部の内周に配置され前記注出流路を塞ぐ封止体と、前記スパウト筒状部の内周面および前記封止体を連結する弱化部とを備え、前記封止体を除去した後にオスコネクタに接続されるスパウトであって、
前記スパウト筒状部は、先端よりも下方側において前記弱化部が連結される連結領域と、前記連結領域の下方側に設定された下方側筒状領域とを有していることを特徴とするスパウト。
【請求項２】
前記スパウト筒状部は、前記オスコネクタのオスコネクタ部が挿入される上方側コネクタ領域を有し、
前記上方側コネクタ領域よりも下方側に前記連結領域が設定されていることを特徴とする請求項１に記載のスパウト。
【請求項３】
請求項１または請求項２に記載のスパウトと、前記スパウトに被せられるカバーとを備えたカバー付きスパウトであって、
前記スパウトは、前記下方側筒状領域の外周に形成されたフランジ部を有し、
前記カバーは、天板部と、前記天板部の外周縁から垂下して形成され、前記スパウト筒状部の外周側に配置されるスカート部と、前記天板部の下面から下方側に向けて突出して形成され、前記スパウト筒状部の内周側において前記封止体に係合可能な折り取り用突出部とを有し、
前記スカート部は、前記フランジ部の上面に当接可能な当接部を有していることを特徴とするカバー付きスパウト。
【請求項４】
前記スカート部は、スカート本体と、前記スカート本体の外周面から外周側に突出した操作用突出部とを有し、
前記当接部は、前記操作用突出部に形成されていることを特徴とする請求項３に記載のカバー付きスパウト。
【請求項５】
前記折り取り用突出部は、複数の折り取りプラグを有し、
前記複数の折り取りプラグは、前記封止体を外周側から挟むように前記封止体に係合するように形成されていることを特徴とする請求項３または請求項４に記載のカバー付きスパウト。
【請求項６】
前記各折り取りプラグと前記スパウト筒状部の内周面との間には、間隙が形成されていることを特徴とする請求項５に記載のカバー付きスパウト。
【請求項７】
前記各折り取りプラグは、上方側係合部と、前記上方側係合部よりも下方側に形成された下方側係合部とを有し、
前記上方側係合部は、前記封止体の上方側被対向面に対して周方向に対向して配置される上方側対向面を有し、
前記下方側係合部は、前記上方側対向面の形成位置から周方向にずれた位置に形成され、前記封止体の下方側被対向面に対して周方向に対向して配置される下方側対向面を有していることを特徴とする請求項５または請求項６に記載のカバー付きスパウト。
【発明の詳細な説明】
【技術分野】
【０００１】
本発明は、スパウトおよびカバー付きスパウトに関する。
【０００２】
経腸栄養においては、患者に投与される栄養剤を含む内容液をパウチ等の容器（バッグ）に充填したＲＴＨ（Ｒｅａｄｙ  Ｔｏ  Ｈａｎｇ）製剤が広く用いられている。このようなＲＴＨ製剤では、内容液を充填した容器の注出口にスパウトを取り付け、内容液を患者に投与する直前にスパウトを開封し、この開封されたスパウトに対して、その一端が患者の体内に挿入されるカテーテルの他端側に接続されたコネクタを接続することで、患者に対して栄養剤を含む内容液を投与することが行われている。
【０００３】
ここで、従来、このようなＲＴＨ製剤の用途においては、容器に取り付けられるスパウトにオスコネクタ部を形成し（例えば特許文献１を参照）、カテーテルに取り付けられるコネクタにメスコネクタ部を形成するのが、一般的であった。
【０００４】
ところが、近年、経腸栄養以外の分野で使用されるコネクタとの誤接続を防止するために、栄養系の医療機器に関する国際規格ＩＳＯ８０３６９−３としてコネクタ構造を国際標準化することが検討されており、この国際規格ＩＳＯ８０３６９−３では、図１０（ａ）に示すように、容器に取り付けられるスパウト１２０にメスコネクタ部１２２ｂを設けるとともに、図１０（ｂ）に示すように、カテーテルに取り付けられるコネクタ１４０にオスコネクタ部１４３を設けることが要求されている。
【先行技術文献】
【特許文献】
【０００５】
【特許文献１】特開２０１３−０６０２１３号公報
【特許文献２】特開２００２−２１００２３号公報
【発明の概要】
【発明が解決しようとする課題】
【０００６】
ここで、上述したような国際規格ＩＳＯ８０３６９−３に準拠したスパウト１２０において、容器（バッグ）の中身の安全性を確保するためにスパウト１２０の注出流路１２２ａを開封可能に封止しようとした場合、メスコネクタ部１２２ｂの内周に弱化部（例えば特許文献２の環状溝１６が形成された隔壁６の外周部分を参照）を介して封止体（例えば特許文献２の隔壁６を参照）を連結することが考えられる。
【０００７】
ところが、このようなスパウト１２０は、オスコネクタ部１４３に接続される側とは反対側（図１０（ａ）の上方側、例えば特許文献２の基部５を参照）において、パウチ等の容器の注出口に熱溶着されることで容器に取り付けられるため、当該熱溶着時の熱によって弱化部に変形やピンホール等が生じ、その結果、スパウト１２０の密封性が損なわれてしまう虞があるという問題があった。
【０００８】
そこで、本発明は、これらの問題点を解決するものであり、簡素な構成で、国際規格ＩＳＯ８０３６９−３を準拠しつつ、良好な密封性、開封性を維持可能なスパウトおよびカバー付きスパウトを提供することを目的とするものである。
【課題を解決するための手段】
【０００９】
本発明のスパウトは、容器に装着される容器用取付部と、前記容器用取付部から上方側に向けて突出して形成され注出流路を有したスパウト筒状部と、前記スパウト筒状部の内周に配置され前記注出流路を塞ぐ封止体と、前記スパウト筒状部の内周面および前記封止体を連結する弱化部とを備え、前記封止体を除去した後にオスコネクタに接続されるスパウトであって、前記スパウト筒状部は、先端よりも下方側において前記弱化部が連結される連結領域と、前記連結領域の下方側に設定された下方側筒状領域とを有していることにより、前記課題を解決するものである。
本発明のカバー付きスパウトは、前記スパウトと、前記スパウトに被せられるカバーとを備えたカバー付きスパウトであって、前記スパウトは、前記下方側筒状領域の外周に形成されたフランジ部を有し、前記カバーは、天板部と、前記天板部の外周縁から垂下して形成され、前記スパウト筒状部の外周側に配置されるスカート部と、前記天板部の下面から下方側に向けて突出して形成され、前記スパウト筒状部の内周側において前記封止体に係合可能な折り取り用突出部とを有し、前記スカート部は、前記フランジ部の上面に当接可能な当接部を有していることにより、前記課題を解決するものである。
【発明の効果】
【００１０】
本請求項１に係る発明によれば、弱化部が連結されるスパウト筒状部の連結領域と容器に装着される容器用取付部との間に、下方側筒状領域を設けることにより、容器の注出口に容器用取付部を熱溶着することで容器にスパウトを取り付ける場合であっても、熱溶着時の熱に起因して弱化部に変形やピンホール等が生じることを回避することが可能であるため、簡素な構成で、スパウトの良好な密封性、開封性を維持することができる。
【００１１】
本請求項２に係る発明によれば、スパウト筒状部が、オスコネクタのオスコネクタ部が挿入される上方側コネクタ領域を有し、上方側コネクタ領域よりも下方側に連結領域が設定されていることにより、弱化部の破断後にスパウト筒状部の内周に残存する弱化部の残存部が、スパウト筒状部に対するオスコネクタ部の挿入を阻害することを回避できる。
本請求項３に係る発明によれば、スパウトの封止体に係合可能な折り取り用突出部をカバーに設けることにより、カバーの操作を利用してスパウトの弱化部を破断させて封止体を除去することができるばかりでなく、以下の効果を奏することができる。すなわち、本請求項３に係る発明では、スパウト筒状部に下方側筒状領域を形成してスパウト筒状部を連結領域よりも下方に延ばした結果として、上下方向におけるスカート部の寸法を長く確保することが可能であるため、使用者によるスカート部の把持を容易にするばかりでなく、スカート部の当接部をスパウトのフランジ部に当接させた時のスパウトに対するカバーの姿勢を良好に維持することができる。これにより、上下軸を中心としてカバーを回転させてスパウトの弱化部を破断させる時に、カバーの回転軸のブレを抑制して、カバーを回転させることによるスパウトの弱化部の破断を良好に達成することができる。
本請求項４に係る発明によれば、スカート部が、スカート本体の外周面から外周側に突出した操作用突出部を有し、フランジ部の上面に当接可能な当接部が、操作用突出部に形成されていることにより、操作用突出部の形成によって、使用者がカバーを回転させて弱化部を破断させる時に必要とされる力を低減することができるばかりでなく、操作用突出部に当接部を形成することによって、より外周側においてスカート部の当接部をフランジ部の上面に当接させることが可能であるため、スカート部の当接部をスパウトのフランジ部に当接させた時のスパウトに対するカバーの姿勢を更に安定させることができる。
本請求項５に係る発明によれば、カバーの折り取り用突出部が、複数の折り取りプラグを有し、複数の折り取りプラグが、封止体を外周側から挟むように封止体に係合するように形成されていることにより、カバーの折り取り用突出部を利用してスパウトの弱化部を破断させた後に、スパウトから分離した封止体を複数の折り取りプラグによって挟んで保持することが可能であるため、スパウトから分離した封止体をカバーと一体に取り扱うことができる。
本請求項６に係る発明によれば、各折り取りプラグとスパウト筒状部の内周面との間に間隙が形成されていることにより、スパウト筒状部の内周側において封止体の上方側に水等が溜まった場合であっても、各折り取りプラグとスパウト筒状部の内周面との間の間隙を通じて水等を外部に排出することができる。
本請求項７に係る発明によれば、封止体の上方側被対向面に対して周方向に対向して配置される折り取りプラグの上方側対向面と、封止体の下方側被対向面に対して周方向に対向して配置される折り取りプラグの下方側対向面とが、周方向にずれた位置に形成されていることにより、上下軸を中心としたカバーの回転力を封止体に更に確実に伝えることが可能であるため、弱化部の破断を円滑に行うことができる。
【図面の簡単な説明】
【００１２】
【図１】本発明の一実施形態に係るカバー付きスパウトを断面視して示す説明図。
【図２】スパウトを断面視して示す説明図。
【図３】カバーを断面視して示す説明図。
【図４】スパウトから封止体を除去した後のカバーを示す説明図。
【図５】封止体を除去したスパウトにオスコネクタを接続した状態を示す説明図。
【図６】スパウトを上方側および下方側から見て示す平面図。
【図７】カバーを上方側および下方側から見て示す平面図。
【図８】図１のＡ−Ａ線位置およびＢ−Ｂ線位置で矢印方向に断面視して示す説明図。
【図９】図８の状態からカバーを回転させた様子を示す説明図。
【図１０】国際規格ＩＳＯ８０３６９−３に準拠したスパウトおよびコネクタの一例を示す参考図。
【発明を実施するための形態】
【００１３】
以下に、本発明の一実施形態に係るカバー付きスパウト１０について、図面に基づいて説明する。
【００１４】
まず、カバー付きスパウト１０は、図１に示すように、経腸栄養用の栄養剤を含む内容液が充填されたパウチ等の容器（図示しない）の注出口に装着されるスパウト２０と、スパウト２０に被せられるカバー３０とを備え、スパウト２０を開封する時には、カバー３０を利用してスパウト２０の弱化部２６を破断させ、スパウト２０の注出流路２２ａを塞ぐ封止体２３を除去するものである。封止体２３が除去されたスパウト２０は、図５に示すように、スパウト２０のスパウト筒状部２２の先端側にオスコネクタ４０のオスコネクタ部４３が挿入されることにより、オスコネクタ４０に接続される。
【００１５】
以下、各構成要素の具体的構成について、図面に基づいて説明する。
【００１６】
まず、スパウト２０は、合成樹脂等から形成され、図１や図２に示すように、熱溶着によって容器に装着される容器用取付部２１と、容器用取付部２１から上方側に向けて突出して形成され上下方向に沿って延びる注出流路２２ａを有した円筒状のスパウト筒状部２２と、注出流路２２ａを塞ぐようにスパウト筒状部２２の内周に配置された封止体２３とを一体に備えている。
【００１７】
容器用取付部２１は、図１や図２に示すように、上下方向に沿って延びスパウト筒状部２２の注出流路２２ａに連通する注出流路２１ａと、その上端の外周面に外周側に突出したフランジ部２１ｂとを有している。
【００１８】
スパウト筒状部２２は、図１や図２に示すように、スパウト筒状部２２の先端（上端）に設定された上方側コネクタ領域２２ｂと、上方側コネクタ領域２２ｂよりも下方側に設定された連結領域２２ｃと、連結領域２２ｃの下方側に設定された下方側筒状領域２２ｄとを有している。
【００１９】
上方側コネクタ領域２２ｂは、図５に示すように、スパウト２０およびオスコネクタ４０の接続時に、オスコネクタ部４３が挿入される部位である。上方側コネクタ領域２２ｂの上端付近の外周には、オスコネクタ４０のネジ部４４に螺合可能なネジ部２７が形成されている。このネジ部２７は、図１に示すように、スパウト２０に対してカバー３０を取り付けた状態で、カバー３０のスカート部３２（スカート本体３２ａ）の内周面に当接するように形成され、これにより、スパウト２０に対するカバー３０の姿勢を更に安定させることができる。
連結領域２２ｃは、弱化部２６が連結される部位であり、本実施形態では、図２に示すように、連結領域２２ｃの内周に、上下の部位よりも内径が小さい環状の径小部２２ｃ’が形成されており、この径小部２２ｃ’の内周に弱化部２６が一体に形成されている。なお、径小部２２ｃ’は形成しなくてもよい。
下方側筒状領域２２ｄの外周には、図１や図２に示すように、外周側に突出したフランジ部２８が形成されている。
【００２０】
封止体２３は、略円柱状に形成され、図１や図２に示すように、その下端の外周が、環状の弱化部２６を介してスパウト筒状部２２の連結領域２２ｃに連結されている。
封止体２３は、図２や図４に示すように、後述するカバー３０の折り取りプラグ３４の上方側係合部３５に係合可能な上方側被係合部２４と、上方側被係合部２４の下方側に形成され、折り取りプラグ３４の下方側係合部３６に係合可能な下方側被係合部２５とを有している。
【００２１】
上方側被係合部２４は、図８（ａ）や図９（ａ）に示すように、円柱状の基部２４ａから外周側に２つの突出部２４ｂが突出した形状を有している。突出部２４ｂは、互いに周方向に１８０°ずれた位置に形成されている。
各突出部２４ｂは、突出部２４ｂの周方向の一側面としての第１上方側被対向面２４ｃと、突出部２４ｂの周方向の他側面としての第２上方側被対向面２４ｄとを有している。
【００２２】
下方側被係合部２５は、図８（ｂ）や図９（ｂ）に示すように、円柱状の基部２５ａから外周側に２つの突出部２５ｂが突出した形状を有している。突出部２５ｂは、互いに周方向に１８０°ずれた位置に形成されている。
下方側被係合部２５の突出部２５ｂの周方向幅は、図８や図９から分かるように、上方側被係合部２４の突出部２４ｂの周方向幅よりも広く設定されている。
各突出部２５ｂは、突出部２５ｂの周方向の一側面としての第１下方側被対向面２５ｃと、突出部２５ｂの周方向の他側面としての第２下方側被対向面２５ｄとを有している。
【００２３】
図８や図９に示すように、第１上方側被対向面２４ｃと第２上方側被対向面２４ｄとは、周方向における反対側に向くように形成され、また、第１下方側被対向面２５ｃと第２下方側被対向面２５ｄとは、周方向における反対側に向くように形成されている。
また、第１上方側被対向面２４ｃと第１下方側被対向面２５ｃとは、周方向における同じ側に向くように形成され、また、第２上方側被対向面２４ｄと第２下方側被対向面２５ｄとは、周方向における同じ側に向くように形成されている。
また、第１上方側被対向面２４ｃと第１下方側被対向面２５ｃとは、周方向にずれた位置に形成され、また、第２上方側被対向面２４ｄと第２下方側被対向面２５ｄとは、周方向の同じ位置（面一）に形成されている。
【００２４】
カバー３０は、合成樹脂等から形成され、図１や図３に示すように、天板部３１と、天板部３１の外周縁から下方側に向けて垂下するスカート部３２と、スカート部３２の内周側において天板部３１の下面から下方側に向けて突出して形成された折り取り用突出部３３とを一体に備えている。
【００２５】
スカート部３２は、図１や図３に示すように、スパウト筒状部２２の外周側に配置される部位であり、筒状のスカート本体３２ａと、筒状のスカート本体３２ａの外周面から外周側に突出した２つの操作用突出部３２ｂとを有している。２つの操作用突出部３２ｂは、互いに周方向に１８０°ずれた位置に形成されている。
スカート本体３２ａの下端縁、および、操作用突出部３２ｂの下端縁の最外周位置には、図１や図３に示すように、下方側に突出した当接部３２ｃがそれぞれ形成されている。これら当接部３２ｃは、スパウト２０にカバー３０を取り付けた状態で、スパウト２０のフランジ部２８の上面に当接するように形成されている。
【００２６】
折り取り用突出部３３は、図１や図３や図８に示すように、天板部３１の下面から下方側に向けて突出して形成され、封止体２３を外周側から挟むように封止体２３に係合可能な２つの折り取りプラグ３４を有している。
【００２７】
各折り取りプラグ３４は、図１や図３や図８に示すように、封止体２３の上方側被係合部２４に周方向に当接（係合）可能な上方側係合部３５と、上方側係合部３５の下方側に形成され、封止体２３の下方側被係合部２５に周方向に当接（係合）可能な下方側係合部３６とを有している。
上方側係合部３５の周方向幅は、下方側係合部３６の周方向幅よりも広く形成されている。
【００２８】
各上方側係合部３５は、図８（ａ）や図９（ａ）に示すように、上方側係合部３５の周方向の一側面としての第１上方側対向面３５ａと、上方側係合部３５の周方向の他側面としての第２上方側対向面３５ｂとを有している。
封止体２３に対して折り取り用突出部３３を係合させた状態で、図８（ａ）や図９（ａ）に示すように、第１上方側対向面３５ａは、封止体２３の第１上方側被対向面２４ｃに対して周方向に対向して配置され、また、第２上方側対向面３５ｂは、封止体２３の第２上方側被対向面２４ｄに対して周方向に対向して配置される。
また、封止体２３に対して折り取り用突出部３３を係合させた状態では、図８（ａ）や図９（ａ）に示すように、上方側被係合部２４の突出部２４ｂと上方側係合部３５との間には、周方向に間隙が形成されるような寸法関係で、突出部２４ｂと上方側係合部３５とが形成されている。
【００２９】
各下方側係合部３６は、図８（ｂ）や図９（ｂ）に示すように、下方側係合部３６の周方向の一側面としての第１下方側対向面３６ａと、下方側係合部３６の周方向の他側面としての第２下方側対向面３６ｂとを有している。
スパウト２０にカバー３０を取り付けた状態で、図８（ｂ）や図９（ｂ）に示すように、第１下方側対向面３６ａは、封止体２３の第１下方側被対向面２５ｃに対して周方向に対向して配置され、また、第２下方側対向面３６ｂは、封止体２３の第２下方側被対向面２５ｄに対して周方向に対向して配置される。
また、スパウト２０にカバー３０を取り付けた状態で、図８（ｂ）や図９（ｂ）に示すように、下方側被係合部２５の突出部２５ｂと下方側係合部３６との間には、周方向に間隙が形成されるような寸法関係で、突出部２５ｂと下方側係合部３６とが形成されている。
【００３０】
図８や図９に示すように、第１上方側対向面３５ａと第２上方側対向面３５ｂとは、周方向における反対側に向くように形成され、また、第１下方側対向面３６ａと第２下方側対向面３６ｂとは、周方向における反対側に向くように形成されている。
第１上方側対向面３５ａと第１下方側対向面３６ａとは、周方向における同じ側に向くように形成され、また、第２上方側対向面３５ｂと第２下方側対向面３６ｂとは、周方向における同じ側に向くように形成されている。
第１上方側対向面３５ａと第１下方側対向面３６ａとは、周方向にずれた位置に形成され、また、第２上方側対向面３５ｂと第２下方側対向面３６ｂとは、周方向の同じ位置（面一）に形成されている。
【００３１】
スパウト２０にカバー３０を取り付けた状態で、図１に示すように、スパウト筒状部２２の内周面と各折り取りプラグ３４との間には、間隙が形成されている。
【００３２】
また、カバー３０の天板部３１およびスカート部３２に跨った位置には、図７（ａ）に示すように、内外に貫通する貫通孔３７が形成されている。
【００３３】
オスコネクタ４０は、合成樹脂等から形成され、患者の体内にその一端が挿入されるカテーテルの他端側に接続されるものであり、図５に示すように、中央に貫通孔を有した天板部４１と、天板部４１の外周縁から下方側に向けて垂下する筒状のスカート部４２と、スカート部４２の内周側において、天板部４１の貫通孔の縁部から下方側に向けて突出する円筒状のオスコネクタ部４３と、スカート部４２の内周面に形成されスパウト筒状部２２のネジ部２７に螺合するネジ部４４とを一体に備えている。
【００３４】
次に、本実施形態のカバー付きスパウト１０の使用方法について、以下に説明する。
【００３５】
まず、図１に示すようなスパウト２０にカバー３０を取り付けた状態（封止体２３に対して折り取り用突出部３３を係合させた状態）から、上下軸（スパウト２０の中心軸、カバー３０の中心軸）を中心として、スパウト２０に対してカバー３０を回転させることにより、封止体２３と折り取り用突出部３３との係合を利用してカバー３０の回転力を封止体２３に伝え、スパウト２０の弱化部２６を破断させる。
【００３６】
上記を具体的に説明すると、本実施形態では、図８や図９に示すようにカバー３０を上方側から見た場合の反時計回り方向にカバー３０を回転させ、封止体２３の第１上方側被対向面２４ｃに対して折り取りプラグ３４の第１上方側対向面３５ａを周方向に当接させるとともに、封止体２３の第１下方側被対向面２５ｃに対して折り取りプラグ３４の第１下方側対向面３６ａを周方向に当接させることにより、カバー３０の回転力を封止体２３に伝え、スパウト２０の弱化部２６を破断させる。
【００３７】
なお、上記とは反対側にカバー３０を回転させた場合、すなわち、カバー３０を上方側から見た場合の時計回り方向にカバー３０を回転させた場合であっても、封止体２３の第２上方側被対向面２４ｄに対して折り取りプラグ３４の第２上方側対向面３５ｂが周方向に当接するとともに、封止体２３の第２下方側被対向面２５ｄに対して折り取りプラグ３４の第２下方側対向面３６ｂが周方向に当接し、カバー３０の回転力を封止体２３に伝えることが可能であるため、スパウト２０の弱化部２６を破断させることができる。
【００３８】
また、本実施形態では、スパウト筒状部２２の内周に封止体２３および弱化部２６を配置することにより、使用者がカバー３０を回転させて弱化部２６を破断させる時に必要とされる力を低減することができる。
【００３９】
次に、スパウト２０の弱化部２６を破断させた後、スパウト２０に対してカバー３０を上方側に移動させると、図４に示すように、折り取りプラグ３４の間に封止体２３が挟まった状態が維持されるため、スパウト２０から封止体２３が除去される。
【００４０】
上記を具体的に説明すると、本実施形態では、図８（ａ）や図９（ａ）に示すように、封止体２３の基部２４ａの大きさが、各折り取りプラグ３４の上方側係合部３５の間隔よりも大きく設定されており、これにより、封止体２３に対して折り取り用突出部３３を係合させた状態では、折り取りプラグ３４の間に封止体２３が挟まった状態が維持される。
【００４１】
最後に、図５に示すように、封止体２３を除去されたスパウト２０に対してオスコネクタ４０を接続する。このスパウト２０に対してオスコネクタ４０を接続した状態では、スパウト２０のネジ部２７に対してオスコネクタ４０のネジ部４４が螺合するとともに、スパウト筒状部２２の上方側コネクタ領域２２ｂ内にオスコネクタ４０のオスコネクタ部４３が挿入される。
【００４２】
なお、スパウト２０に対してオスコネクタ４０を接続した状態では、図５に示すように、上方側コネクタ領域２２ｂの内周面とオスコネクタ部４３の外周面とを密着させることによって、上方側コネクタ領域２２ｂとオスコネクタ部４３との間をシールしている。
ここで、本実施形態では、図５に示すように、上方側コネクタ領域２２ｂよりも下方側に連結領域２２ｃが形成されているため、弱化部２６の破断後にスパウト筒状部２２の内周に残存する弱化部２６の残存部（バリ）が、スパウト筒状部２２に対するオスコネクタ部４３と接触するおそれがなく、オスコネクタ部４３の挿入を阻害することを回避できる。これにより、上方側コネクタ領域２２ｂの内周面とオスコネクタ部４３の外周面とを良好に密着させることができ、更なるシール性の向上を図ることができる。
【００４３】
以上、本発明の実施形態を詳述したが、本発明は上記実施形態に限定されるものではなく、特許請求の範囲に記載された本発明を逸脱することなく種々の設計変更を行なうことが可能である。
【００４４】
例えば、上述した実施形態では、カバー付きスパウト１０およびオスコネクタ４０が経腸栄養の用途で用いられるものとして説明したが、カバー付きスパウト１０およびオスコネクタ４０を、経腸栄養以外の用途で用いても何ら構わない。
また、上述した実施形態では、上下軸（スパウト２０の中心軸、カバー３０の中心軸）を中心としてカバー３０を回転させることにより、スパウト２０の弱化部２６を破断させスパウト２０から封止体２３を除去するものとして説明したが、弱化部２６を破断させる方法（封止体２３を除去する方法）は上記に限定されず、例えば、スパウト２０に対してカバー３０を傾けたり、スパウト２０に対してカバー３０を上方に持ち上げることにより、スパウト２０の弱化部２６を破断させスパウト２０から封止体２３を除去することが可能なように、カバー付きスパウト１０を構成してもよい。
また、上述した実施形態では、カバー３０の折り取り用突出部３３が２つの折り取りプラグ３４を有しているものとして説明したが、折り取りプラグ３４の数量は、１つまたは３つ以上であってもよい。
また、上述した実施形態では、上方側コネクタ領域２２ｂの下方側に連結領域２２ｃが形成されているものとして説明したが、上方側コネクタ領域２２ｂ内に連結領域２２ｃを設定してもよい。
また、上述した実施形態では、スパウト筒状部２２の連結領域２２ｃと封止体２３とを連結する弱化部２６が環状に形成されているものとして説明したが、弱化部２６の具体的態様については、連結領域２２ｃと封止体２３と連結可能なものであれば如何なるものでもよい。
【符号の説明】
【００４５】
１０      ・・・  カバー付きスパウト
２０      ・・・  スパウト
２１      ・・・  容器用取付部
２１ａ    ・・・  注出流路
２１ｂ    ・・・  フランジ部
２２      ・・・  スパウト筒状部
２２ａ    ・・・  注出流路
２２ｂ    ・・・  上方側コネクタ領域
２２ｃ    ・・・  連結領域
２２ｃ’  ・・・  径小部
２２ｄ    ・・・  下方側筒状領域
２３      ・・・  封止体
２４      ・・・  上方側被係合部
２４ａ    ・・・  基部
２４ｂ    ・・・  突出部
２４ｃ    ・・・  第１上方側被対向面（上方側被対向面）
２４ｄ    ・・・  第２上方側被対向面
２５      ・・・  下方側被係合部
２５ａ    ・・・  基部
２５ｂ    ・・・  突出部
２５ｃ    ・・・  第１下方側被対向面（下方側被対向面）
２５ｄ    ・・・  第２下方側被対向面
２６      ・・・  弱化部
２７      ・・・  ネジ部
２８      ・・・  フランジ部
３０      ・・・  カバー
３１      ・・・  天板部
３２      ・・・  スカート部
３２ａ    ・・・  スカート本体
３２ｂ    ・・・  操作用突出部
３２ｃ    ・・・  当接部
３３      ・・・  折り取り用突出部
３４      ・・・  折り取りプラグ
３５      ・・・  上方側係合部
３５ａ    ・・・  第１上方側対向面（上方側対向面）
３５ｂ    ・・・  第２上方側対向面
３６      ・・・  下方側係合部
３６ａ    ・・・  第１下方側対向面（下方側対向面）
３６ｂ    ・・・  第２下方側対向面
３７      ・・・  貫通孔
４０      ・・・  オスコネクタ
４１      ・・・  天板部
４２      ・・・  スカート部
４３      ・・・  オスコネクタ部
４４      ・・・  ネジ部
【図１】
2020033084.tif 000003
【図２】
2020033084.tif 000004
【図３】
2020033084.tif 000005
【図４】
2020033084.tif 000006
【図５】
2020033084.tif 000007
【図６】
2020033084.tif 000008
【図７】
2020033084.tif 000009
【図８】
2020033084.tif 000010
【図９】
2020033084.tif 000011
【図１０】
2020033084.tif 000012